(57)【要約】【課題】  企業間取引の概念を取り入れた斬新な人材派遣及び紹介の業態を提案し、停滞する人材の活用や雇用の促進を図る。【解決手段】  人材派遣紹介サービス総合支援システムにおけるサーバ装置は、人材登録用の画面を人材提供側企業が操作する提供側端末機の表示部に表示させ、当該人材提供側企業から提供された人材情報をデータベースとして記憶部に格納する。また、サーバ装置は、人材検索用の画面を人材要求側企業が操作する要求側端末機の表示部に表示させ、入力された所望の求人条件に基づいて人材情報を検索し、その結果を当該要求側端末機の表示部に表示させる。さらに、サーバ装置は、人材要求側企業が獲得を希望する人材提供側企業の人材の取引用の画面を提供側端末機及び／又は要求側端末機の表示部に表示させ、この取引用の画面を介して入力された情報を、相手方の端末機に対して送信する。【選択図】  図１
2007280150.tif 000002
【特許請求の範囲】
【請求項１】
人材派遣及び紹介業務を支援する人材派遣紹介サービス総合支援システムであって、
当該人材派遣紹介サービス総合支援システムの会員として登録されている企業であって人材を提供する少なくとも１以上の人材提供側企業がそれぞれ操作する少なくとも１以上の提供側端末機と、
当該人材派遣紹介サービス総合支援システムの会員として登録されている企業であって人材を要求する少なくとも１以上の人材要求側企業がそれぞれ操作する少なくとも１以上の要求側端末機と、
当該人材派遣紹介サービス総合支援システムを提供する運営者が管理するサーバ装置とを備え、
上記サーバ装置は、
上記人材提供側企業の上記提供側端末機の操作に応じて、人材登録用の画面を当該提供側端末機の表示手段に表示させる第１の表示制御手段と、
上記人材登録用の画面を介して入力されることによって上記人材提供側企業から提供された人材情報をデータベースとして格納する記憶手段と、
上記人材要求側企業の上記要求側端末機の操作に応じて、人材検索用の画面を当該要求側端末機の表示手段に表示させる第２の表示制御手段と、
上記人材検索用の画面を介して入力された所望の求人条件に基づいて、上記記憶手段に格納されているデータベースを参照し、上記求人条件に合致する人材情報を検索し、その結果を当該要求側端末機に供給する検索手段と、
上記提供側端末機及び／又は上記要求側端末機の操作に応じて、上記人材要求側企業が獲得を希望する上記人材提供側企業の人材の取引用の画面を当該提供側端末機の表示手段及び／又は当該要求側端末機の表示手段に表示させる第３の表示制御手段と、
上記提供側端末機及び／又は上記要求側端末機によって上記取引用の画面を介して入力された情報を、相手方の端末機に対して送信する情報送信手段とを備えること
を特徴とする人材派遣紹介サービス総合支援システム。
【請求項２】
上記記憶手段には、上記取引用の画面を介して入力された情報からなる上記人材提供側企業と上記人材要求側企業との間で行われる取引の履歴がデータベースとして格納されており、
上記サーバ装置は、上記提供側端末機及び／又は上記要求側端末機の操作に応じて、上記記憶手段に格納されているデータベースを参照し、上記履歴を当該提供側端末機の表示手段及び／又は当該要求側端末機の表示手段に表示させる第４の表示制御手段を備えること
を特徴とする請求項１記載の人材派遣紹介サービス総合支援システム。
【請求項３】
上記サーバ装置は、上記人材要求側企業によって予め設定された検索条件に合致した新たな人材情報が登録された場合には、当該人材要求側企業の上記要求側端末機に対して、その旨を通知する通知手段を備えること
を特徴とする請求項１又は請求項２記載の人材派遣紹介サービス総合支援システム。
【請求項４】
人材派遣及び紹介業務を支援するコンピュータ実行可能な人材派遣紹介サービス総合支援プログラムであって、
上記コンピュータは、人材派遣紹介サービス総合支援システムを提供する運営者が管理するサーバ装置であり、
上記コンピュータを、
当該人材派遣紹介サービス総合支援システムの会員として登録されている企業であって人材を提供する人材提供側企業が操作する提供側端末機の操作に応じて、人材登録用の画面を当該提供側端末機の表示手段に表示させる第１の表示制御手段、
上記人材登録用の画面を介して入力されることによって上記人材提供側企業から提供された人材情報をデータベースとして記憶手段に格納させる記憶制御手段、
当該人材派遣紹介サービス総合支援システムの会員として登録されている企業であって人材を要求する人材要求側企業が操作する要求側端末機の操作に応じて、人材検索用の画面を当該要求側端末機の表示手段に表示させる第２の表示制御手段、
上記人材検索用の画面を介して入力された所望の求人条件に基づいて、上記記憶手段に格納されているデータベースを参照し、上記求人条件に合致する人材情報を検索し、その結果を当該要求側端末機に供給する検索手段、
上記提供側端末機及び／又は上記要求側端末機の操作に応じて、上記人材要求側企業が獲得を希望する上記人材提供側企業の人材の取引用の画面を当該提供側端末機の表示手段及び／又は当該要求側端末機の表示手段に表示させる第３の表示制御手段、及び、
上記提供側端末機及び／又は上記要求側端末機によって上記取引用の画面を介して入力された情報を、相手方の端末機に対して送信する情報送信手段として機能させること
を特徴とする人材派遣紹介サービス総合支援プログラム。
【請求項５】
人材派遣及び紹介業務を支援する人材派遣紹介サービス総合支援システムを提供する運営者が管理するサーバ装置であって、
当該人材派遣紹介サービス総合支援システムの会員として登録されている企業であって人材を提供する人材提供側企業が操作する提供側端末機の操作に応じて、人材登録用の画面を当該提供側端末機の表示手段に表示させる第１の表示制御手段と、
上記人材登録用の画面を介して入力されることによって上記人材提供側企業から提供された人材情報をデータベースとして格納する記憶手段と、
当該人材派遣紹介サービス総合支援システムの会員として登録されている企業であって人材を要求する人材要求側企業が操作する要求側端末機の操作に応じて、人材検索用の画面を当該要求側端末機の表示手段に表示させる第２の表示制御手段と、
上記人材検索用の画面を介して入力された所望の求人条件に基づいて、上記記憶手段に格納されているデータベースを参照し、上記求人条件に合致する人材情報を検索し、その結果を当該要求側端末機に供給する検索手段と、
上記提供側端末機及び／又は上記要求側端末機の操作に応じて、上記人材要求側企業が獲得を希望する上記人材提供側企業の人材の取引用の画面を当該提供側端末機の表示手段及び／又は当該要求側端末機の表示手段に表示させる第３の表示制御手段と、
上記提供側端末機及び／又は上記要求側端末機によって上記取引用の画面を介して入力された情報を、相手方の端末機に対して送信する情報送信手段とを備えること
を特徴とするサーバ装置。
【発明の詳細な説明】
【技術分野】
【０００１】
本発明は、人材派遣及び紹介業務を支援する人材派遣紹介サービス総合支援システム及び人材派遣紹介サービス総合支援プログラム、並びにこの人材派遣紹介サービス総合支援システムに用いられるサーバ装置に関する。
【背景技術】
【０００２】
近年、企業等における雇用者が労働力を獲得するための手段として、当該雇用者の求人条件に合致した人材を派遣・紹介する人材派遣・紹介会社が増加している。このような人材派遣・紹介会社においては、通常、就労希望者を会員として登録し、当該就労希望者の就労希望条件と、雇用者が提示する求人条件とのマッチングを図ることによって適所へ会員を派遣・紹介する、という手続きが採用されている。
【０００３】
また、近年では、ネットワーク技術の発展にともない、かかるネットワーク技術を利用した人材派遣業務に関する技術も提案されている（例えば、特許文献１及び特許文献２等参照。）。
【０００４】
【特許文献１】特開２００５−４２８４号公報
【特許文献２】特開２００５−６２９１３号公報
【０００５】
具体的には、特許文献１には、人材派遣に関する業務を支援する人材派遣システムが開示されている。特に、この人材派遣システムは、１又は複数の企業に就労を希望する就労希望者、就労決定後の就労決定者、退職後の退職者、及び企業と通信する情報送受部と、求人条件を含む企業に関する情報（企業情報）が格納された企業情報記録部と、就労希望者が就労希望条件を特定して行う就労希望通知を、情報送受部を介して受信し、就労希望条件に合致する求人条件を提示する１又は複数の企業の企業情報を企業情報記録部から検索抽出し、就労希望通知を情報送受部を介して企業に送信する就労希望条件検索抽出部とを備えるものである。これにより、この人材派遣システムにおいては、個々の会員の就労希望条件や企業の求人条件の管理を容易且つ適切に行うことができるため、就労希望者を就労希望条件に見合った企業に派遣するとともに、企業の求人条件に見合った就労希望者を当該企業に派遣することができるとしている。
【０００６】
また、特許文献２には、人材派遣業務の効率化及び迅速化を図った人材派遣システムが開示されている。特に、この人材派遣システムは、派遣労働者の求職に関する求職情報と、人材派遣を希望する雇用者の求人情報とを少なくとも含むデータベースと、このデータベースにインターネットを介してアクセス可能なインターネット端末とを備え、派遣労働者は、インターネット端末を介して自身のキャリアを含む求職情報をデータベースに登録し、雇用者は、インターネット端末を介して求人情報をデータベースに登録し、人材派遣業者は、データベースの求職情報と求人情報との両方を取得し、求人情報に合致する求職情報が存在すれば、当該求職情報を登録した派遣労働者にインターネット端末を介して通知するものである。これにより、この人材派遣システムにおいては、人材派遣要請を受けたときに、常に要請に最適な人材を即座に派遣することができるとしている。
【発明の開示】
【発明が解決しようとする課題】
【０００７】
ところで、従来の人材派遣・紹介業務は、あくまでも企業と個人との取引である。そのため、企業は、人材を獲得するための手段として人材派遣・紹介会社を利用するのみであった。一方、人材を獲得した企業は、獲得した人材に余剰が発生した場合には、何ら対策を施すことができない。そのため、ある企業に雇用された人材は、折角契約した雇用関係が不要に流動したものとなり、不安を払拭することができていないのが現状である。
【０００８】
本発明は、このような実情に鑑みてなされたものであり、企業間取引の概念を取り入れた斬新な人材派遣及び紹介の業態を提案し、停滞する人材の活用や雇用の促進を図ることを可能とし、雇用者側と就労希望者側との双方にとって高い利便を提供することができる人材派遣紹介サービス総合支援システム及び人材派遣紹介サービス総合支援プログラム、並びに当該人材派遣紹介サービス総合支援システムを実現するサーバ装置を提供することを目的とする。
【課題を解決するための手段】
【０００９】
上述した目的を達成する本発明にかかる人材派遣紹介サービス総合支援システムは、人材派遣及び紹介業務を支援する人材派遣紹介サービス総合支援システムであって、当該人材派遣紹介サービス総合支援システムの会員として登録されている企業であって人材を提供する少なくとも１以上の人材提供側企業がそれぞれ操作する少なくとも１以上の提供側端末機と、当該人材派遣紹介サービス総合支援システムの会員として登録されている企業であって人材を要求する少なくとも１以上の人材要求側企業がそれぞれ操作する少なくとも１以上の要求側端末機と、当該人材派遣紹介サービス総合支援システムを提供する運営者が管理するサーバ装置とを備え、上記サーバ装置は、上記人材提供側企業の上記提供側端末機の操作に応じて、人材登録用の画面を当該提供側端末機の表示手段に表示させる第１の表示制御手段と、上記人材登録用の画面を介して入力されることによって上記人材提供側企業から提供された人材情報をデータベースとして格納する記憶手段と、上記人材要求側企業の上記要求側端末機の操作に応じて、人材検索用の画面を当該要求側端末機の表示手段に表示させる第２の表示制御手段と、上記人材検索用の画面を介して入力された所望の求人条件に基づいて、上記記憶手段に格納されているデータベースを参照し、上記求人条件に合致する人材情報を検索し、その結果を当該要求側端末機に供給する検索手段と、上記提供側端末機及び／又は上記要求側端末機の操作に応じて、上記人材要求側企業が獲得を希望する上記人材提供側企業の人材の取引用の画面を当該提供側端末機の表示手段及び／又は当該要求側端末機の表示手段に表示させる第３の表示制御手段と、上記提供側端末機及び／又は上記要求側端末機によって上記取引用の画面を介して入力された情報を、相手方の端末機に対して送信する情報送信手段とを備えることを特徴としている。
【００１０】
また、上述した目的を達成する本発明にかかる人材派遣紹介サービス総合支援プログラムは、人材派遣及び紹介業務を支援するコンピュータ実行可能な人材派遣紹介サービス総合支援プログラムであって、上記コンピュータは、人材派遣紹介サービス総合支援システムを提供する運営者が管理するサーバ装置であり、上記コンピュータを、当該人材派遣紹介サービス総合支援システムの会員として登録されている企業であって人材を提供する人材提供側企業が操作する提供側端末機の操作に応じて、人材登録用の画面を当該提供側端末機の表示手段に表示させる第１の表示制御手段、上記人材登録用の画面を介して入力されることによって上記人材提供側企業から提供された人材情報をデータベースとして記憶手段に格納させる記憶制御手段、当該人材派遣紹介サービス総合支援システムの会員として登録されている企業であって人材を要求する人材要求側企業が操作する要求側端末機の操作に応じて、人材検索用の画面を当該要求側端末機の表示手段に表示させる第２の表示制御手段、上記人材検索用の画面を介して入力された所望の求人条件に基づいて、上記記憶手段に格納されているデータベースを参照し、上記求人条件に合致する人材情報を検索し、その結果を当該要求側端末機に供給する検索手段、上記提供側端末機及び／又は上記要求側端末機の操作に応じて、上記人材要求側企業が獲得を希望する上記人材提供側企業の人材の取引用の画面を当該提供側端末機の表示手段及び／又は当該要求側端末機の表示手段に表示させる第３の表示制御手段、及び、上記提供側端末機及び／又は上記要求側端末機によって上記取引用の画面を介して入力された情報を、相手方の端末機に対して送信する情報送信手段として機能させることを特徴としている。
【００１１】
さらに、上述した目的を達成する本発明にかかるサーバ装置は、人材派遣及び紹介業務を支援する人材派遣紹介サービス総合支援システムを提供する運営者が管理するサーバ装置であって、当該人材派遣紹介サービス総合支援システムの会員として登録されている企業であって人材を提供する人材提供側企業が操作する提供側端末機の操作に応じて、人材登録用の画面を当該提供側端末機の表示手段に表示させる第１の表示制御手段と、上記人材登録用の画面を介して入力されることによって上記人材提供側企業から提供された人材情報をデータベースとして格納する記憶手段と、当該人材派遣紹介サービス総合支援システムの会員として登録されている企業であって人材を要求する人材要求側企業が操作する要求側端末機の操作に応じて、人材検索用の画面を当該要求側端末機の表示手段に表示させる第２の表示制御手段と、上記人材検索用の画面を介して入力された所望の求人条件に基づいて、上記記憶手段に格納されているデータベースを参照し、上記求人条件に合致する人材情報を検索し、その結果を当該要求側端末機に供給する検索手段と、上記提供側端末機及び／又は上記要求側端末機の操作に応じて、上記人材要求側企業が獲得を希望する上記人材提供側企業の人材の取引用の画面を当該提供側端末機の表示手段及び／又は当該要求側端末機の表示手段に表示させる第３の表示制御手段と、上記提供側端末機及び／又は上記要求側端末機によって上記取引用の画面を介して入力された情報を、相手方の端末機に対して送信する情報送信手段とを備えることを特徴としている。
【００１２】
このような本発明にかかる人材派遣紹介サービス総合支援システム及び人材派遣紹介サービス総合支援プログラム、並びにサーバ装置においては、人材提供側企業の人材情報を人材要求側企業に対して提供する環境を実現し、これら人材提供側企業と人材要求側企業との円滑な取引を実現することができる。そして、本発明にかかる人材派遣紹介サービス総合支援システム及び人材派遣紹介サービス総合支援プログラム、並びにサーバ装置においては、人材提供側企業と人材要求側企業との間で人材情報を交換することにより、従来の企業と個人との取引である人材派遣・紹介業務と比較して、信憑性の高い人材情報を収集することができる。そのため、本発明にかかる人材派遣紹介サービス総合支援システム及び人材派遣紹介サービス総合支援プログラム、並びにサーバ装置においては、雇用者側にとっては、所望の求人条件に確実に合致した人材を獲得することができるとともに、獲得した人材に余剰が発生した場合には、その人材を適切な他社へと転籍させることもできる。一方、本発明にかかる人材派遣紹介サービス総合支援システム及び人材派遣紹介サービス総合支援プログラム、並びにサーバ装置においては、就労希望者にとっても、契約した雇用関係が不要に流動してしまうことがなく、安心して就職活動を行うことが可能となる。
【発明の効果】
【００１３】
本発明は、停滞する人材の活用や雇用の促進を図ることができる従来にはない極めて斬新な人材派遣及び紹介の業態を提案するものであり、雇用者側と就労希望者側との双方にとって高い利便を提供することができる。
【発明を実施するための最良の形態】
【００１４】
以下、本発明を適用した具体的な実施の形態について図面を参照しながら詳細に説明する。
【００１５】
この実施の形態は、人材派遣及び紹介業務を支援する人材派遣紹介サービス総合支援システムである。特に、この人材派遣紹介サービス総合支援システムは、雇用している人材を提供する企業と人材の獲得を要求する企業との取引を実現するものであり、人材の情報を交換することにより、企業間取引を円滑に遂行し、停滞する人材の活用や雇用の促進を図ることができるものである。
【００１６】
なお、人材派遣紹介サービス総合支援システムは、後に詳述するが、個々の企業が自社で雇用している人材の情報を他の企業に対して提供する環境を実現するものであり、各企業が会員登録を行うことによって利用可能となるものである。そのため、以下では、説明の便宜上、人材を提供する企業を「人材提供側企業」と称し、人材を要求する企業を「人材要求側企業」と称して説明するものとする。
【００１７】
人材派遣紹介サービス総合支援システムは、概念的には図１に示すように、当該人材派遣紹介サービス総合支援システムの会員たる人材提供側企業ＣＯＰに雇用されている人材に関する情報を登録する一方で、登録された人材情報を、当該人材派遣紹介サービス総合支援システムの会員たる人材要求側企業ＣＯＲが検索することが可能なウェブサイトを提供することによって実現される。人材派遣紹介サービス総合支援システムにおいては、人材要求側企業ＣＯＲがウェブサイトを利用して人材を検索し、求人条件に合致した人材をみつけた場合には、当該人材派遣紹介サービス総合支援システムによって提供される各種ガイドラインにしたがって、当該人材を提供する人材提供側企業ＣＯＰに交渉することが可能とされる。そして、人材派遣紹介サービス総合支援システムは、これら人材提供側企業ＣＯＰと人材要求側企業ＣＯＲとの間で交渉契約が成立するのに応じて、当該人材を人材提供側企業ＣＯＰから人材要求側企業ＣＯＲへと転籍させることを最終的な目的としている。
【００１８】
すなわち、この人材派遣紹介サービス総合支援システムは、上述したウェブサイトを提供することにより、企業の壁を越えた人材のマッチングを図ることができる究極のシステムである。なお、人材提供側企業ＣＯＰ及び／又は人材要求側企業ＣＯＲとしては、例えば、民間の一般企業の他、学校法人や人材派遣・紹介会社も会員として登録することができる。特に、人材派遣紹介サービス総合支援システムにおいては、人材派遣・紹介会社同士の取引も可能とすることにより、各人材派遣・紹介会社に登録している人材の積極的な流動化を図ることができることから、例えば、ある人材派遣・紹介会社を利用している企業が要求する人材が当該人材派遣・紹介会社に登録されていない場合であっても、他の人材派遣・紹介会社から当該人材を獲得する、といったことも可能となり、いわば適材適所の人材派遣・紹介を実現することができる。
【００１９】
このような人材派遣紹介サービス総合支援システムは、具体的には図２に示すように構成される。すなわち、人材派遣紹介サービス総合支援システムは、当該人材派遣紹介サービス総合支援システムを提供する運営者が管理するサーバ装置１０と、当該人材派遣紹介サービス総合支援システムの会員として登録されている少なくとも１社以上の人材提供側企業ＣＯＰの従業員等がそれぞれ操作する少なくとも１以上の提供側端末機２０と、当該人材派遣紹介サービス総合支援システムの会員として登録されている少なくとも１社以上の人材要求側企業ＣＯＲの従業員等がそれぞれ操作する少なくとも１以上の要求側端末機３０とが、インターネットを含むネットワーク網を介して接続されて構成される。なお、同図においては、提供側端末機２０及び要求側端末機３０がそれぞれ１台ずつ設けられている様子を示しているが、人材派遣紹介サービス総合支援システムにおいては、登録された企業に応じて、これら端末機が複数台設けられるのが通常である。また、人材派遣紹介サービス総合支援システムにおいては、人材提供側企業ＣＯＰと人材要求側企業ＣＯＲとが、それぞれ、人材の提供又は人材の要求のいずれかのみを行うものとして会員登録されているのではなく、人材提供側企業ＣＯＰが人材要求側企業ＣＯＲとなったり、人材要求側企業ＣＯＲが人材提供側企業ＣＯＰとなったりすることもできる。
【００２０】
サーバ装置１０は、当該人材派遣紹介サービス総合支援システムを提供する運営者によって管理されるものである。具体的には、サーバ装置１０は、図３に示すように、各部を統括的に制御するＣＰＵ（Central Processing Unit）１１と、各種プログラムを含む各種情報を格納する読み取り専用のＲＯＭ（Read Only Memory）１２と、ワークエリアとして機能するＲＡＭ（Random Access Memory）１３と、各種情報を読み出し及び／又は書き込み可能に記憶する記憶部１４と、外部のネットワークに接続して通信を行う通信部１５と、ユーザインターフェースとしての図示しない所定の操作デバイスを介した入力操作の処理及び制御を行う入力操作制御部１６と、各種情報を表示する表示部１７とを備える。
【００２１】
ＣＰＵ１１は、記憶部１４等に格納されている各種プログラムを実行し、各部を統括的に制御する。
【００２２】
ＲＯＭ１２は、各種プログラムをはじめとする各種情報を格納している。このＲＯＭ１２に格納されている情報は、ＣＰＵ１１の制御のもとに読み出される。
【００２３】
ＲＡＭ１３は、ＣＰＵ１１が各種プログラムを実行する際のワークエリアとして機能し、ＣＰＵ１１の制御のもとに、各種情報を一時記憶するとともに、記憶している各種情報を読み出す。
【００２４】
記憶部１４は、提供側端末機２０や要求側端末機３０との間での通信といった当該人材派遣紹介サービス総合支援システムに必要な各種機能を実現するための各種プログラムや、各種画像データや音声データをはじめとする各種情報を記憶している。また、記憶部１４は、各提供側端末機２０を介して各人材提供側企業ＣＯＰによって設定された情報及び各要求側端末機３０を介して各人材要求側企業ＣＯＲによって設定された情報をデータベースとして格納している。この記憶部１４に記憶されている情報は、ＣＰＵ１１の制御のもとに読み出される。なお、この記憶部１４としては、例えば、ハードディスクや、これらのハードディスクを複数台用いていわゆるＲＡＩＤ（Redundant Arrays of Independent (Inexpensive) Disks）構成とした装置といった所定の記憶装置を用いて構成することができる。
【００２５】
通信部１５は、例えば、アナログ回線、いわゆるイーサネット（登録商標）等から構成されるＬＡＮ（Local Area Network）、ＩＳＤＮ（Integrated Services Digital Network）、ＡＤＳＬ（Asymmetric Digital Subscriber Line）、若しくはＦＴＴＨ（Fiber To The Home）等の各種ネットワーク回線、ＩＥＥＥ（Institute of Electrical and Electronic Engineers）８０２．１１に準拠した無線ＬＡＮ若しくはいわゆるブルートゥース（Bluetooth（登録商標））等の各種無線通信方式、又はいわゆるＦＯＭＡ（登録商標）等のＷ−ＣＤＭＡ（Wideband-Code Division Multiple Access）方式若しくはＨＤＲ（High Data Rate）等のＣＤＭＡ−２０００方式といった、各種方式に基づくネットワークに接続するためのインターフェースであり、ＣＰＵ１１の制御のもとに、外部との通信を行う。
【００２６】
入力操作制御部１６は、例えば、キーボード、マウス、キーパッド、赤外線リモートコントローラ、スティックキー、又はプッシュボタンといった、ユーザインターフェースとしての図示しない所定の操作デバイスを介した入力操作を受け付け、操作内容を示す制御信号をＣＰＵ１１に対して供給する。
【００２７】
表示部１７は、例えば、液晶ディスプレイ（Liquid Crystal Display；ＬＣＤ）、プラズマ・ディスプレイ・パネル（Plasma Display Panel；ＰＤＰ）、有機エレクトロルミネッセンス（Organic ElectroLuminescent）ディスプレイ、又はＣＲＴ（Cathode Ray Tube）といった、各種表示デバイスであり、ＣＰＵ１１の制御のもとに、各種画像データや、その他の各種情報を表示する。例えば、表示部１７には、メンテナンスの際に、運営者の操作に応じて、メンテナンス用の画面が表示される。
【００２８】
このような各部を備えるサーバ装置１０は、アクセスしてきた提供側端末機２０や要求側端末機３０からの要求に応じて、ＣＰＵ１１の制御のもとに、ウェブ形式の各種画面を当該提供側端末機２０や当該要求側端末機３０の表示部に表示させることにより、人材提供側企業ＣＯＰや人材要求側企業ＣＯＲに当該人材派遣紹介サービス総合支援システムによって実現されるサービスを提供する。例えば、サーバ装置１０は、ＣＰＵ１１の制御のもとに、データベースに設定された情報に基づいて、アクセスしてきた各人材提供側企業ＣＯＰの提供側端末機２０の操作に応じて、人材登録用の画面を当該提供側端末機２０の表示部に表示させ、当該画面を介して入力された情報をデータベースに格納する。また、サーバ装置１０は、ＣＰＵ１１の制御のもとに、アクセスしてきた各人材要求側企業ＣＯＲの要求側端末機３０の操作に応じて、データベースに設定された情報に基づいて、所望の求人条件に合致する人材情報を検索し、該当した人材情報の一覧等を、検索結果画面として当該要求側端末機３０の表示部に表示させる。
【００２９】
提供側端末機２０は、例えばパーソナルコンピュータ等から構成され、当該人材派遣紹介サービス総合支援システムの人材提供側企業ＣＯＰの従業員等によって操作されるものであり、サーバ装置１０と同様に、物理的には図２に示したような各部を備えるものとして構成される。ただし、ここでの記憶部１４としては、サーバ装置１０における記憶部１４とは異なり、例えば、ハードディスクや不揮発性メモリ等を用いることができる。また、記憶部１４には、本体に対して着脱可能とされるＣＤ−Ｒやメモリカード等の記憶媒体に対して、各種情報の読み出し及び／又は書き込みを行うドライブ装置も含まれる。このような提供側端末機２０は、人材提供側企業ＣＯＰの人事部に所属する従業員等の操作に応じて、サーバ装置１０に対してアクセスし、自社の人材情報の登録や更新、人材の獲得に名乗りをあげた人材要求側企業ＣＯＲとの間でのメッセージの授受等を行う。
【００３０】
具体的には、人材提供側企業ＣＯＰは、当該人材派遣紹介サービス総合支援システムの会員登録を行って会員となると、自己のアカウントに対応した固有のページ（マイページ）をサーバ装置１０に作成することができる。そして、人材提供側企業ＣＯＰの従業員は、自己の提供側端末機２０を介してサーバ装置１０に対してアクセスすると、自己のマイページを介して、自社に雇用されている人材のうち転籍対象の人材に関する情報の掲載や閲覧、さらには、他の会員たる企業との間でのメッセージの授受等を行うことができる。より具体的には、人材提供側企業ＣＯＰの従業員は、自己の提供側端末機２０を介して、サーバ装置１０によって提供されるフォームにしたがって、自己のページに掲載する人材情報をアップロードすることにより、人材情報の登録又は更新を行うことができる。また、人材提供側企業ＣＯＰの従業員は、自己の事業者用端末機２０を介して、人材要求側企業ＣＯＲの要求側端末機３０との間で、取引を進める上で必要となるメッセージの授受を行うことができる。
【００３１】
要求側端末機３０は、例えばパーソナルコンピュータ等から構成され、当該人材派遣紹介サービス総合支援システムの人材要求側企業ＣＯＲの従業員等によって操作されるものであり、提供側端末機２０と同様に、物理的には図２に示したような各部を備えるものとして構成される。このような要求側端末機３０は、人材要求側企業ＣＯＲの人事部に所属する従業員等の操作に応じて、サーバ装置１０に対してアクセスし、サーバ装置１０に登録されている人材情報の中から求人条件に合致した人材情報の検索を行う。また、要求側端末機３０は、人材の獲得に名乗りをあげた場合には、当該人材が所属する人材提供側企業ＣＯＰの提供側端末機２０との間でのメッセージの授受等を行う。
【００３２】
具体的には、人材要求側企業ＣＯＲは、当該人材派遣紹介サービス総合支援システムの会員登録を行って会員となると、自己のアカウントに対応した固有のページ（マイページ）をサーバ装置１０に作成することができる。そして、人材要求側企業ＣＯＲの従業員は、自己の要求側端末機３０を介してサーバ装置１０に対してアクセスすると、自己のマイページを介して、人材提供側企業ＣＯＰによってサーバ装置１０に登録されている人材情報を検索して閲覧することができる。また、人材要求側企業ＣＯＲの従業員は、自己の要求側端末機３０を介して、獲得しようとする人材が所属する人材提供側企業ＣＯＰの提供側端末機２０との間で、取引を進める上で必要となるメッセージの授受を行うことができる。
【００３３】
このようなサーバ装置１０、提供側端末機２０、及び要求側端末機３０から構成される人材派遣紹介サービス総合支援システムは、人材が保有している資格等のスキル情報、当該人材の経歴／経験情報、当該人材の就労希望条件、及び希望年収を取り扱い、個人情報については不必要に取り扱わないように運営される。また、人材派遣紹介サービス総合支援システムにおいては、企業が他の企業の情報を取得するためには、取引の開始、すなわち、契約意思の成立を必要とし、この取引の開始があるまでは、企業情報を参照することができないものとして運営される。具体的には、人材派遣紹介サービス総合支援システムは、例えば図４に示すように、人材提供側企業ＣＰＯからの人材情報の提供、人材要求側企業ＣＯＲからの人材情報の要求、取引手段の選択、人材提供側企業ＣＰＯから人材要求側企業ＣＯＲへの雇用形態情報の要求、人材要求側企業ＣＯＲから人材提供側企業ＣＯＰへの詳細な人材情報の開示要求、契約意思の成立、人材提供側企業ＣＰＯ及び人材要求側企業ＣＰＲの企業情報の開示及び契約手続きの開始といった段階を進んでいくのに応じて、より多くの情報を相手方企業に対して開示していくように運営される。
【００３４】
さて、このような人材派遣紹介サービス総合支援システムにおいては、上述したように、人材提供側企業ＣＯＰ及び人材要求側企業ＣＯＲともに、自己のアカウントに対応した固有のマイページがサーバ装置１０に作成される。そして、人材派遣紹介サービス総合支援システムにおいては、人材に関する各種情報をサーバ装置１０にデータベースとして格納することにより、提供側端末機２０や要求側端末機３０の表示部１７に表示させる各種画面を作成し、以下のような各種サービスを人材提供側企業ＣＯＰ及び人材要求側企業ＣＯＲに提供することができる。具体的には、人材派遣紹介サービス総合支援システムにおいては、提供側端末機２０や要求側端末機３０がブラウザアプリケーションを起動してサーバ装置１０に対してアクセスすることにより、以下のような各種画面を当該提供側端末機２０や当該要求側端末機３０の表示部１７に表示させ、各種サービスを実現する。
【００３５】
まず、サーバ装置１０は、提供側端末機２０や要求側端末機３０からのアクセスがあると、ＣＰＵ１１の制御のもとに、当該人材派遣紹介サービス総合支援システムを構成するウェブサイトのトップ画面を当該提供側端末機２０や当該要求側端末機３０の表示部１７に表示させる。このトップ画面には、当該人材派遣紹介サービス総合支援システムに必要な各種機能へのリンク等が設けられている。具体的には、トップ画面には、例えば図５に示すように、既に会員として登録されている人材提供側企業ＣＯＰや人材要求側企業ＣＯＲがログインするための画面に遷移するためのリンクや、各企業が新たに会員として登録又は仮登録するための画面に遷移するためのリンク等が設けられている。また、トップ画面には、当該人材派遣紹介サービス総合支援システムに関するニュース、運営者の会社情報、ウェブサイトの説明、新たに登録された新着人材情報の数、会員として登録されている取引企業の数等の各種情報も掲載される。
【００３６】
サーバ装置１０は、人材提供側企業ＣＯＰや人材要求側企業ＣＯＲの従業員による提供側端末機２０や要求側端末機３０の操作により、ログインするための画面に遷移するためのリンクがクリックされた場合には、ＣＰＵ１１の制御のもとに、例えば図６に示すように、所定のログイン画面を当該提供側端末機２０や当該要求側端末機３０の表示部１７に表示させた上で、登録されている所定のログインＩＤ及びパスワード等の所定事項を入力させる。そして、サーバ装置１０は、ＣＰＵ１１の制御のもとに、入力された情報に基づいて認証処理を行い、登録された正当者であるものと認証した場合には、当該人材提供側企業ＣＯＰや当該人材要求側企業ＣＯＲのマイページを当該提供側端末機２０や当該要求側端末機３０の表示部１７に表示させる。
【００３７】
マイページには、例えば図７に示すように、人材提供側企業ＣＯＰが人材情報を登録するための人材登録機能を実行するための画面に遷移するためのリンク、人材要求側企業ＣＯＲが人材情報を検索するための人材検索機能を実行するための画面に遷移するためのリンク、人材提供側企業ＣＯＰと人材要求側企業ＣＯＲとの間で行われる取引履歴を閲覧するための画面に遷移するためのリンク等が設けられている。また、マイページには、各企業に関するニュース等の各種情報も掲載される。
【００３８】
以下、このマイページから実行することができる各種機能について説明する。
【００３９】
まず、人材登録機能について説明する。
【００４０】
サーバ装置１０は、人材提供側企業ＣＯＰの従業員による提供側端末機２０の操作により、人材登録機能を実行するための画面に遷移するためのリンクがクリックされた場合には、ＣＰＵ１１の制御のもとに、所定の人材登録画面を当該提供側端末機２０の表示部１７に表示させる。ここで、人材登録機能は、人材情報をサーバ装置１０のデータベースに登録するために必要な事項の入力等を行う機能である。人材派遣紹介サービス総合支援システムにおいては、人材情報を登録するための承諾を事前に当該人材に得ていることが必要であることから、ガイドラインを設けている。人材情報は、例えば図８に示すように、職業紹介業の範囲となる人材を登録する紹介登録区分、当該人材提供側企業ＣＯＰが人材派遣・紹介会社である場合に当該人材派遣・紹介会社が保有する人材を登録する派遣登録区分、労働者派遣及び職業紹介業の範囲となる人材を登録する紹介予定派遣登録区分、アウトプレースメントの依頼として当該人材提供側企業ＣＯＰの余剰人員を登録する余剰人員登録区分等に区別されて登録される。人材派遣紹介サービス総合支援システムにおいては、登録区分毎に取引方法や引き渡し方法等も変化し、金額や市場も変化することになる。また、人材派遣紹介サービス総合支援システムにおいては、人材登録画面を介して、例えば、紹介予定派遣登録区分に登録された人材を一般の派遣登録区分として取引しないようにする等、人材毎に「応じたくない取引」を設定することも可能とされる。
【００４１】
具体的には、サーバ装置１０は、ＣＰＵ１１の制御のもとに、例えば図９(Ａ)乃至図９(Ｃ)に示すような人材登録画面を当該提供側端末機２０の表示部１７に表示させる。この人材登録画面には、人材に固有の人材コードを入力する人材コード入力ボックス５１、当該人材の氏名を入力する氏名入力ボックス５２、当該人材の氏名のふりがなを入力するふりがな入力ボックス５３、当該人材のニックネームを入力するニックネーム入力ボックス５４、当該人材の年齢を入力する年齢入力ボックス５５、当該人材の性別を選択する性別選択ラジオボタン５６、当該人材の国籍を選択／入力する国籍選択ラジオボタン及び国籍入力ボックス５７、当該人材の経験年数を入力する経験年数入力ボックス５８、当該人材が経験した職務を選択する経験職務選択チェックボックス５９、当該人材の言語スキルを選択する言語スキル選択チェックボックス６０、当該人材の自宅の最寄り駅を入力する最寄り駅入力ボックス６１、当該人材が保有している資格を選択／入力する保有資格欄６２、当該人材の業種（職種）を選択／入力する業種（職種）欄６３、当該人材が希望している給与を入力する給与入力ボックス６４、当該人材の取引形態（登録区分）を選択する取引形態選択ラジオボタン６５、当該人材の職務履歴を文字列等として入力する職務履歴入力ボックス６６、その他の事項を入力する備考入力ボックス６７等が設けられている。なお、保有資格欄６２及び業種（職種）欄６３に選択／入力される情報は、その候補を予めサーバ装置１０にデータベースとして登録しておくこともできる。具体的には、サーバ装置１０は、人材提供側企業ＣＯＰの従業員による提供側端末機２０の操作により、保有資格欄６２に設けられた編集ボタン６２ａがクリックされるのに応じて、ＣＰＵ１１の制御のもとに、例えば図１０(Ａ)及び図１０(Ｂ)に示すように、複数の資格が一覧表示された資格一覧画面を当該提供側端末機２０の表示部１７に表示させる。そして、サーバ装置１０は、提供側端末機２０の操作により、この資格一覧画面に掲載された個々の資格に対応付けて設けられたチェックボックスが選択されるのに応じて、選択された資格を保有資格欄６２に入力した人材登録画面を、当該提供側端末機２０の表示部１７に表示させることができる。同様に、サーバ装置１０は、人材提供側企業ＣＯＰの従業員による提供側端末機２０の操作により、業種（職種）欄６３に設けられた編集ボタン６３ａがクリックされるのに応じて、ＣＰＵ１１の制御のもとに、例えば図１１(Ａ)及び図１１(Ｂ)に示すように、複数の業種（職種）が一覧表示された業種（職種）一覧画面を当該提供側端末機２０の表示部１７に表示させる。そして、サーバ装置１０は、提供側端末機２０の操作により、この業種（職種）一覧画面に掲載された個々の業種（職種）に対応付けて設けられたチェックボックスが選択されるのに応じて、選択された業種（職種）を業種（職種）欄６３に入力した人材登録画面を、当該提供側端末機２０の表示部１７に表示させることができる。
【００４２】
人材派遣紹介サービス総合支援システムにおいて、人材提供側企業ＣＯＰは、このような人材登録画面を介して入力した情報をサーバ装置１０のデータベースに格納することにより、自社の人材情報を登録することができる。また、人材提供側企業ＣＯＰは、登録した全ての人材情報を確認することもできる。すなわち、サーバ装置１０は、提供側端末機２０を介して、当該人材提供側企業ＣＯＰが登録した人材情報の確認操作が行われた場合には、例えば図１２に示すように、全ての人材情報が一覧表示された登録済み人材情報一覧画面を当該提供側端末機２０の表示部１７に表示させる。そして、サーバ装置１０は、提供側端末機２０の操作により、登録済み人材情報一覧画面に掲載された個々の人材情報の詳細情報の画面に遷移するためのリンク７１がクリックされた場合には、ＣＰＵ１１の制御のもとに、例えば図１３に示すように、当該人材の詳細情報が掲載された人材詳細情報画面を当該提供側端末機２０の表示部１７に表示させることができる。これにより、人材提供側企業ＣＯＰは、登録している人材情報を確認することができる。また、人材提供側企業ＣＯＰは、人材詳細情報画面に掲載された詳細情報を変更したい場合には、自己の提供側端末機２０を介して、当該人材詳細情報画面に設けられた編集ボタン８１をクリックすることにより、先に図９(Ａ)乃至図９(Ｃ)に示したような人材登録画面を表示部１７に表示させる。これにより、人材提供側企業ＣＯＰは、登録済みの任意の人材情報を更新することができる。さらに、人材提供側企業ＣＯＰは、任意の人材情報を登録から除外したい場合には、自己の提供側端末機２０を介して、当該人材詳細情報画面に設けられた削除ボタン８２をクリックすることにより、当該人材情報をサーバ１０のデータベースから削除することができる。
【００４３】
このように、人材派遣紹介サービス総合支援システムにおいて、人材提供側企業ＣＯＰによる人材情報の登録及び更新並びに削除を行うことができる。
【００４４】
つぎに、人材検索機能について説明する。
【００４５】
人材派遣紹介サービス総合支援システムにおいては、人材提供側企業ＣＯＰによって提供された人材情報を検索可能にサーバ装置１０にデータベースとして登録する。そして、サーバ装置１０は、人材要求側企業ＣＯＲの従業員による要求側端末機３０の操作により、マイページに設けられた人材検索機能を実行するための画面に遷移するためのリンクがクリックされた場合には、ＣＰＵ１１の制御のもとに、所定の人材検索画面を当該要求側端末機３０の表示部１７に表示させる。ここで、人材検索機能は、サーバ装置１０のデータベースに登録されている人材情報を検索するための機能である。人材派遣紹介サービス総合支援システムにおいては、例えば図１４に示すように、人材のスキルを検索条件とした検索を行うスキル検索、人材が保有する資格を検索条件とした検索を行う資格検索、人材の業種や職種を検索条件とした検索を行う業種／職種検索、人材が希望する勤務地や通勤路線を検索条件とした検索を行う勤務地／路線検索、人材が希望する給与や待遇を検索条件とした検索を行う給与／待遇検索、資格や職種等に対して志願又は希望している人材を検索する志願／希望検索、任意のキーワードを検索条件とした検索を行うフリーワード検索等、複数の検索区分を設けている。
【００４６】
具体的には、サーバ装置１０は、ＣＰＵ１１の制御のもとに、例えば図１５に示すような人材検索画面を当該要求側端末機３０の表示部１７に表示させる。この人材検索画面には、検索条件を選択／入力するための操作子が設けられている。具体的には、この人材検索画面には、検索したい人材の年齢を入力する年齢入力ボックス９１、当該人材の性別を選択する性別選択ラジオボタン９２、当該人材の居住地を選択する海外フラグ選択ラジオボタン９３、当該人材の経験年数を入力する経験年数入力ボックス９４、当該人材のスキルを選択するスキル選択チェックボックス９５、当該人材の言語スキルを選択する言語スキル選択チェックボックス９６等が設けられている。サーバ装置１０は、人材要求側企業ＣＯＲの従業員による要求側端末機３０の操作により、所定の検索条件が選択／入力され、検索ボタン９７がクリックされるのに応じて、ＣＰＵ１１の制御のもとに、データベースを参照し、選択／入力された検索条件に該当する人材情報を参照し、例えば図１６に示すように、該当した人材情報が一覧表示された検索結果画面を当該要求側端末機３０の表示部１７に表示させる。
【００４７】
また、サーバ装置１０は、要求側端末機３０の操作により、検索結果画面に掲載された個々の人材情報の詳細情報の画面に遷移するためのリンク１０１がクリックされた場合には、ＣＰＵ１１の制御のもとに、例えば図１７に示すように、当該人材を提供している人材提供側企業ＣＯＰの簡易情報と、当該人材の詳細情報とが掲載された人材詳細情報画面を、当該要求側端末機３０の表示部１７に表示させることができる。人材要求側企業ＣＯＲは、人材詳細情報画面に掲載された詳細情報に基づいて、当該人材について人材提供側企業ＣＯＰと人材要求側企業ＣＯＲに対してオファーを行う場合には、自己の要求側端末機３０を介して、当該人材詳細情報画面に設けられたリンク１１１をクリックする。これに応じて、サーバ装置１０は、ＣＰＵ１１の制御のもとに、例えば図１８に示すように、当該人材へのオファー文等を入力するオファー入力画面を当該要求側端末機３０の表示部１７に表示させる。そして、サーバ装置１０は、要求側端末機３０の操作により、オファー入力画面にオファー文等が入力され、入力確認ボタン１２１がクリックされるのに応じて、例えば図１９に示すように、入力内容が掲載された確認画面を当該要求側端末機３０の表示部１７に表示させる。このとき、サーバ装置１０は、同じ人材情報について、人材提供側企業ＣＯＰと人材要求側企業ＣＯＲとの間でメッセージの授受を既に行っていた場合には、その履歴もあわせて当該要求側端末機３０の表示部１７に表示させる。すなわち、サーバ装置１０は、少なくとも取引が終了するまでは、オファー文等のメッセージをはじめとする人材提供側企業ＣＯＰと人材要求側企業ＣＯＲとの間で行われるやり取りをデータベースとして保持する。そして、サーバ装置１０は、要求側端末機３０の操作により、決定ボタン１２２がクリックされるのに応じて、オファー入力画面に入力された内容を人材提供側企業ＣＯＰ宛に送信する。この送信された情報は、当該人材提供側企業ＣＯＰの提供側端末機２０の表示部１７に表示される。同様に、要求側端末機３０も、提供側端末機２０から送信された情報を表示部１７に表示することが可能とされる。
【００４８】
人材派遣紹介サービス総合支援システムにおいて、人材要求側企業ＣＯＲは、このような各種画面を介して人材情報を検索し、所望の人材に対してオファーを行うことができる。
【００４９】
つぎに、人材提供側企業ＣＯＰと人材要求側企業ＣＯＲとの間で行われる取引機能及び取引履歴の閲覧機能について説明する。
【００５０】
人材派遣紹介サービス総合支援システムにおいては、上述したように、人材要求側企業ＣＯＲによる人材情報の検索結果に基づいて、人材提供側企業ＣＯＰと人材要求側企業ＣＯＲとの間で取引が開始される。すなわち、人材派遣紹介サービス総合支援システムにおいては、取引の開始を人材要求側企業ＣＯＲから行う。サーバ装置１０は、人材提供側企業ＣＯＰと人材要求側企業ＣＯＲとの間で取引が開始されると、上述したように、人材提供側企業ＣＯＰと人材要求側企業ＣＯＲとの間で行われるやり取りをデータベースとして保持する。そして、サーバ装置１０は、ＣＰＵ１１の制御のもとに、例えば図２０に示すように、人材提供側企業ＣＯＰから提供される人材情報のうち、人材要求側企業ＣＯＲからオファーがあった人材情報が一覧表示された自社人材オファー一覧画面を当該提供側端末機２０の表示部１７に表示させる。一方、サーバ装置１０は、人材要求側企業ＣＯＲについては、ＣＰＵ１１の制御のもとに、例えば図２１に示すように、現在オファーを出している人材要求側企業ＣＯＲの人材情報が一覧表示された他社人材オファー一覧画面を当該要求側端末機３０の表示部１７に表示させる。なお、人材派遣紹介サービス総合支援システムにおいては、１つの企業が同時に人材提供側企業ＣＯＰと人材要求側企業ＣＯＲとになり得ることから、かかる場合には、当該企業の端末機の表示部１７に、これら自社人材オファー一覧画面及び他社人材オファー一覧画面の双方が表示される。
【００５１】
サーバ装置１０は、提供側端末機２０の操作により、自社人材オファー一覧画面に掲載された個々の人材情報へのオファーについての詳細情報の画面に遷移するためのリンク１３１がクリックされた場合には、ＣＰＵ１１の制御のもとに、例えば図２２に示すように、オファーを出している人材要求側企業ＣＯＲの情報が一覧表示されたオファー企業情報一覧画面と、例えば図２３に示すように、当該人材の詳細情報が掲載された人材詳細情報画面とを、当該提供側端末機２０の表示部１７に表示させる。ここで、オファー企業情報一覧画面には、人材要求側企業ＣＯＲから当該人材情報についての未読の質問がある状態や質問に対して回答した状態といった、当該人材要求側企業ＣＯＲとの間での取引の現在状態が明示される。そして、サーバ装置１０は、提供側端末機２０の操作により、オファー企業情報一覧画面に掲載された個々の人材要求側企業ＣＯＲとの取引履歴を表示する画面に遷移するためのリンク１４１がクリックされた場合には、ＣＰＵ１１の制御のもとに、例えば先に図１８に示したようなオファー入力画面とともに、先に図１９に示したような過去の取引履歴を、当該提供側端末機２０の表示部１７に表示させることにより、当該人材提供側企業ＣＯＰに対して次のメッセージの送信等の機会を与えることになる。
【００５２】
一方、他社人材オファー一覧画面には、人材提供側企業ＣＯＰに対して過去に行った質問に対する未読の回答がある状態や質問に対して回答待ちの状態といった、当該人材提供側企業ＣＯＰとの間での取引の現在状態が明示される。サーバ装置１０は、要求側端末機３０の操作により、他社人材オファー一覧画面に掲載された個々の人材情報の詳細情報の画面に遷移するためのリンク１５１がクリックされた場合には、ＣＰＵ１１の制御のもとに、例えば先に図１７に示したような人材詳細情報画面とともに、先に図１８に示したようなオファー入力画面を、当該要求側端末機３０の表示部１７に表示させることにより、当該人材要求側企業ＣＯＲに対して次のメッセージの送信等の機会を与えることになる。
【００５３】
人材派遣紹介サービス総合支援システムにおいては、このような各種画面を介して、人材提供側企業ＣＯＰと人材要求側企業ＣＯＲとの間でメッセージの授受を基本とする交渉を行い、その取引履歴を閲覧しつつ、取引を進めることができる。
【００５４】
以上説明したように、本発明の実施の形態として示す人材派遣紹介サービス総合支援システムにおいては、人材提供側企業ＣＯＰと人材要求側企業ＣＯＲとの取引を実現する環境を提供し、人材情報を交換することにより、従来の企業と個人との取引である人材派遣・紹介業務と比較して、信憑性の高い人材情報を収集することができる。そのため、この人材派遣紹介サービス総合支援システムにおいては、雇用者側にとっては、所望の求人条件に確実に合致した人材を獲得することができるとともに、獲得した人材に余剰が発生した場合には、その人材を適切な他社へと転籍させることもできる。一方、この人材派遣紹介サービス総合支援システムにおいては、就労希望者にとっても、契約した雇用関係が不要に流動してしまうことがなく、安心して就職活動を行うことが可能となる。
【００５５】
このように、この人材派遣紹介サービス総合支援システムは、停滞する人材の活用や雇用の促進を図り、雇用者側と就労希望者側との双方にとって高い利便を提供することができる極めて斬新なものである。
【００５６】
なお、本発明は、上述した実施の形態に限定されるものではない。例えば、上述した実施の形態では、要求側端末機３０を介した自発的な検索操作に応じて、人材情報の検索を行うものとして説明したが、本発明は、人材要求側企業ＣＯＲが所望の検索条件を予めサーバ装置１０に設定しておき、当該検索条件に合致した新たな人材情報が登録された場合に、サーバ装置１０から当該人材要求側企業ＣＯＲの要求側端末機３０に対して、電子メールや上述したマイページを介したメッセージ等の形態で、新たな人材情報が登録された旨を通知する機能を設けてもよい。
【００５７】
人材派遣紹介サービス総合支援システムにおいては、このような機能を設けることにより、人材要求側企業ＣＯＲが検索操作を頻繁に行う必要がなくなり、負担を軽減することができる。また、人材派遣紹介サービス総合支援システムにおいては、このような機能を設けることにより、設定された検索条件に基づいて、人材のニーズを把握することができる。したがって、人材派遣紹介サービス総合支援システムにおいては、複数の人材要求側企業ＣＯＲについての人材のニーズを収集することにより、社会的に不足している人材像の明確化に寄与することが可能となり、かかる情報を人材提供側企業ＣＯＰに対して提供することにより、当該人材提供側企業ＣＯＰにとっても適切な人材を提供することが可能となる。さらに、人材派遣紹介サービス総合支援システムにおいては、かかる新たな人材情報が登録された旨の通知機能を設けることにより、設定された検索条件に基づいて、サーバ装置１０によって要望人材の職種や資格等をランキングとして集計して上述したトップ画面等に掲載することにより、資格取得の支援や職業紹介企業の広告として、当該人材派遣紹介サービス総合支援システムの運営者が公告収入を得るようなビジネスモデルを構築することも可能となる。
【００５８】
また、上述した実施の形態では、複数の人材要求側企業ＣＯＲがオファーを出している人材がバッティングする事態については説明していないが、本発明においては、最終的な契約は当該人材本人と各企業の担当者等とを交えた現実の交渉を想定しているため問題が生じることはない。また、人材要求側企業ＣＯＲが最終的な現実の交渉の権利を取得するための方法としては、例えば、単純に先約順としてもよいが、本発明においては、オークションの概念を取り入れ、登録された人材情報に対して、所定期間内に最も高い取引値を付けた人材要求側企業ＣＯＲや最も良い待遇を提示した人材要求側企業ＣＯＲが権利を取得するようにしてもよい。
【００５９】
このように、本発明は、その趣旨を逸脱しない範囲で適宜変更が可能であることはいうまでもない。
【図面の簡単な説明】
【００６０】
【図１】本発明の実施の形態として示す人材派遣紹介サービス総合支援システムの仕組みについて概念的に説明するための図である。
【図２】同人材派遣紹介サービス総合支援システムの構成を説明する図である。
【図３】同人材派遣紹介サービス総合支援システムにおけるサーバ装置の構成を説明するブロック図である。
【図４】同人材派遣紹介サービス総合支援システムにおいて進行していく段階の内容について説明するための図である。
【図５】同人材派遣紹介サービス総合支援システムにおける端末機の表示部に表示されるトップ画面の内容について概念的に説明するための図である。
【図６】同人材派遣紹介サービス総合支援システムにおける端末機の表示部に表示されるログイン画面の具体例を説明する図である。
【図７】同人材派遣紹介サービス総合支援システムにおける端末機の表示部に表示されるマイページの内容について概念的に説明するための図である。
【図８】同人材派遣紹介サービス総合支援システムにおける人材登録機能について説明するための図である。
【図９（Ａ）】同人材派遣紹介サービス総合支援システムにおける提供側端末機の表示部に表示される人材登録画面の具体例を説明する図である。
【図９（Ｂ）】同人材派遣紹介サービス総合支援システムにおける提供側端末機の表示部に表示される人材登録画面の具体例を説明する図であり、図９(Ａ)に続く画面の構成について説明するための図である。
【図９（Ｃ）】同人材派遣紹介サービス総合支援システムにおける提供側端末機の表示部に表示される人材登録画面の具体例を説明する図であり、図９(Ｂ)に続く画面の構成について説明するための図である。
【図１０（Ａ）】同人材派遣紹介サービス総合支援システムにおける提供側端末機の表示部に表示される資格一覧画面の具体例を説明する図である。
【図１０（Ｂ）】同人材派遣紹介サービス総合支援システムにおける提供側端末機の表示部に表示される資格一覧画面の具体例を説明する図であり、図１０(Ａ)に続く画面の構成について説明するための図である。
【図１１（Ａ）】同人材派遣紹介サービス総合支援システムにおける提供側端末機の表示部に表示される業種（職種）一覧画面の具体例を説明する図である。
【図１１（Ｂ）】同人材派遣紹介サービス総合支援システムにおける提供側端末機の表示部に表示される業種（職種）一覧画面の具体例を説明する図であり、図１１(Ａ)に続く画面の構成について説明するための図である。
【図１２】同人材派遣紹介サービス総合支援システムにおける提供側端末機の表示部に表示される登録済み人材情報一覧画面の具体例を説明する図である。
【図１３】同人材派遣紹介サービス総合支援システムにおける提供側端末機の表示部に表示される人材詳細情報画面の具体例を説明する図である。
【図１４】同人材派遣紹介サービス総合支援システムにおける人材検索機能について説明するための図である。
【図１５】同人材派遣紹介サービス総合支援システムにおける要求側端末機の表示部に表示される人材検索画面の具体例を説明する図である。
【図１６】同人材派遣紹介サービス総合支援システムにおける要求側端末機の表示部に表示される検索結果画面の具体例を説明する図である。
【図１７】同人材派遣紹介サービス総合支援システムにおける要求側端末機の表示部に表示される人材詳細情報画面の具体例を説明する図である。
【図１８】同人材派遣紹介サービス総合支援システムにおける要求側端末機の表示部に表示されるオファー入力画面の具体例を説明する図である。
【図１９】同人材派遣紹介サービス総合支援システムにおける要求側端末機の表示部に表示される確認画面の具体例を説明する図である。
【図２０】同人材派遣紹介サービス総合支援システムにおける提供側端末機の表示部に表示される自社人材オファー一覧画面の具体例を説明する図である。
【図２１】同人材派遣紹介サービス総合支援システムにおける要求側端末機の表示部に表示される他社人材オファー一覧画面の具体例を説明する図である。
【図２２】同人材派遣紹介サービス総合支援システムにおける提供側端末機の表示部に表示されるオファー企業情報一覧画面の具体例を説明する図である。
【図２３】同人材派遣紹介サービス総合支援システムにおける提供側端末機の表示部に表示される人材詳細情報画面の具体例を説明する図である。
【符号の説明】
【００６１】
１０  サーバ装置
１１  ＣＰＵ
１２  ＲＯＭ
１３  ＲＡＭ
１４  記憶部
１５  通信部
１６  入力操作制御部
１７  表示部
２０  提供側端末機
３０  要求側端末機
ＣＯＰ  人材提供側企業
ＣＯＲ  人材要求側企業
【図１】
2007280150.tif 000003
【図２】
2007280150.tif 000004
【図３】
2007280150.tif 000005
【図４】
2007280150.tif 000006
【図５】
2007280150.tif 000007
【図６】
2007280150.tif 000008
【図７】
2007280150.tif 000009
【図８】
2007280150.tif 000010
【図９（Ａ）】
2007280150.tif 000011
【図９（Ｂ）】
2007280150.tif 000012
【図９（Ｃ）】
2007280150.tif 000013
【図１０（Ａ）】
2007280150.tif 000014
【図１０（Ｂ）】
2007280150.tif 000015
【図１１（Ａ）】
2007280150.tif 000016
【図１１（Ｂ）】
2007280150.tif 000017
【図１２】
2007280150.tif 000018
【図１３】
2007280150.tif 000019
【図１４】
2007280150.tif 000020
【図１５】
2007280150.tif 000021
【図１６】
2007280150.tif 000022
【図１７】
2007280150.tif 000023
【図１８】
2007280150.tif 000024
【図１９】
2007280150.tif 000025
【図２０】
2007280150.tif 000026
【図２１】
2007280150.tif 000027
【図２２】
2007280150.tif 000028
【図２３】
2007280150.tif 000029